(57)【要約】【課題】    所定のシーリング深さを安定して確保できるとともに、現場での施工負担を軽減することができる外壁の目地構造を提供する。【解決手段】  上下の外壁材(22)(23)間の目地隙間(27)に外側からシーリング材(86)を充填して構成される外壁(21)の横目地部において、上側外壁材(22)の裏面から下側外壁材(23)の外面へ跨るようにして設置される水切り材(40)に、前記のシーリング材(86)を受けるバックアップ材(85)を予め取り付ける。【選択図】  図３
2005213797.tif 000002
【特許請求の範囲】
【請求項１】
上下の外壁材間の目地隙間に外側からシーリング材を充填して構成される外壁の横目地部において、上側外壁材の裏面から下側外壁材の外面へ跨るようにして設置される水切り材に、前記のシーリング材を受けるバックアップ材が予め取り付けられていることを特徴とする外壁の目地構造。
【請求項２】
前記水切り材は、その上端部分を上側外壁材とその裏面側の構造材又は下地胴縁との間に差し込んで支持されている請求項１記載の外壁の目地構造。
【請求項３】
前記バックアップ材は、前記水切り材に取り付けられた状態において、少なくとも上方からの押圧によって収縮するような伸縮性を備え、少なくとも前記下側の外壁材を取り付ける前においては、そのようにバックアップ材を収縮させながら、水切り材全体を上方へ押し上げた状態に保持されるものとされている請求項１又は２記載の外壁の目地構造。
【請求項４】
前記バックアップ材は軟質性の樹脂であって、その下端部において水切り材の外表面へ接着されて、その接着部より上方部が上方からの押圧によって収縮するものとされている請求項１乃至３のいずれかに記載の外壁の目地構造。
【請求項５】
下側外壁材の上端部外表面には、前記水切り材の外側から別の第２の水切り材が固定されて、この第２の水切り材上端の内側への突出片が前記目地隙間内へ突入して、この突出片上面と上側外壁材の下端面との間に前記シーリング材を充填してなる請求項１乃至４のいずれかに記載の外壁の目地構造。
【請求項６】
前記水切り材は、軟質性の樹脂からなる軟質片を備え、この軟質片が、少なくとも下側外壁材の上端面から外表面に跨るようにして設置されている請求項１乃至５のいずれかに記載の外壁の目地構造。
【発明の詳細な説明】
【技術分野】
【０００１】
この発明は、シーリング材の充填により防水施工がなされる外壁の目地構造に関する。
【背景技術】
【０００２】
バルコニー床の周縁から立ち上がった下側の外壁材と、その上側の外壁材との間の目地隙間は、シーリング材を充填することによって防水性を確保することが一般的に行われており、その防水性能はシーリング施工の良否に委ねられている。
【０００３】
従来より、シーリング施工の際は、シーリング材を受けるためのバックアップ材を目地隙間内に挿入してから、そのバックアップ材の外側にシーリング材を充填することが行われているが、バックアップ材の取付けは、上下の外壁材や水切り材等をすべて設置した後に行われていた。なお、このように施工現場において、最後にバックアップ材を目地隙間に挿入してからシーリング材を充填する構成については、例えば特許文献１に開示されている。
【０００４】
【特許文献１】特開平７−３３１８３６号公報
【発明の開示】
【発明が解決しようとする課題】
【０００５】
しかし、上記のように、施工現場において目地隙間内にバックアップ材を挿入しようとすると、バックアップ材が目地隙間内で転んだり、座りが悪くなってしまう場合があるため、所定のシーリング深さを確保できない恐れがある。また、面倒なバックアップ材の設置作業は、現場での施工を煩雑にするものであった。
【０００６】
そこで、この発明は、上記の不具合を解消して、所定のシーリング深さを安定して確保できるとともに、現場での施工負担を軽減することができる外壁の目地構造を提供することを目的とする。
【課題を解決するための手段】
【０００７】
上記の課題を解決するため、この発明における外壁の目地構造は、上下の外壁材間の目地隙間に外側からシーリング材を充填して構成される外壁の横目地部において、上側外壁材の裏面から下側外壁材の外面へ跨るようにして設置される水切り材に、前記のシーリング材を受けるバックアップ材が予め取り付けられていることを特徴とする。
【０００８】
また、前記水切り材は、その上端部分を上側外壁材とその裏面側の構造材又は下地胴縁との間に差し込んで支持されている。
【０００９】
さらに、前記バックアップ材は、前記水切り材に取り付けられた状態において、少なくとも上方からの押圧によって収縮するような伸縮性を備え、少なくとも前記下側の外壁材を取り付ける前においては、そのようにバックアップ材を収縮させながら、水切り材全体を上方へ押し上げた状態に保持されるものとされている。
【００１０】
またさらに、前記バックアップ材は軟質性の樹脂であって、その下端部において水切り材の外表面へ接着されて、その接着部より上方部が上方からの押圧によって収縮するものとされている。
【００１１】
また、下側外壁材の上端部外表面には、前記水切り材の外側から別の第２の水切り材が固定されて、この第２の水切り材上端の内側への突出片が前記目地隙間内へ突入して、この突出片上面と上側外壁材の下端面との間に前記シーリング材を充填してなる。
【００１２】
さらに、前記水切り材は、軟質性の樹脂からなる軟質片を備え、この軟質片が、少なくとも下側外壁材の上端面から外表面に跨るようにして設置されている。
【発明の効果】
【００１３】
この発明によれば、シーリング材を受けるバックアップ材が、予め水切り材に取り付けられているため、施工現場においてバックアップ材を目地隙間内へ挿入する場合のように、バックアップ材が目地隙間内で転んでしまったり、座りが悪くなってしまうことがなく、安定した取付け状態を実現することができる。従って、所定のシーリング深さを安定して確保することができ、外壁目地の防水性能を高めることができる。しかも、施工現場において面倒なバックアップ材の設置作業を省略できるため、現場での施工負担を軽減することができる。
【００１４】
さらに、下側外壁材の取付け前においては、バックアップ材を収縮させながら、水切り材全体を上方へ押し上げた状態に保持されるため、水切り材が下側外壁材等の設置作業の妨げとなることを防止でき、施工性を向上させることができる。
【００１５】
しかも、伸縮性を備えたバックアップ材は、下側外壁材等を設置した後に水切り材の押し上げを止めることによって、伸長して元の形状に復元するようになっているため、設計通りの取付け状態を実現することができ、シーリング材を確実に受けるように機能することができる。
【００１６】
また、バックアップ材は軟質性の樹脂からなっており、その下端部を水切り材の外表面に接着すれば、その接着部より上方部が上方からの押圧によって収縮するようになっている。すなわち、上記のようなバックアップ材の伸縮動作は、そのための特別な部材や煩雑な作業を必要としないため、低コストで簡単に実現することができる。
【００１７】
他方、水切り材の軟質片についても、下側外壁材等を設置する際には軟質性の樹脂からなる軟質片を上方へめくり上げておくことで、やはり施工の妨げとなることを回避できるとともに、設置後においては下側外壁材の上端面から外表面へ跨るようになっているため、万が一目地隙間内に侵入した水を屋外側に排出する機能を果たすことができる。
【００１８】
さらに、第２の水切り材上端の内側への突出片が目地隙間内に突入しており、その突出片上面と上側外壁材下端面との間にシーリング材を充填しているため、下側外壁材上端面と上側外壁材下端面との間に充填する場合に比べて、より深いシーリング深さを確保することができ、外壁目地の防水性を一層高めている。
【発明を実施するための最良の形態】
【００１９】
以下、この発明の実施形態を図面に基づいて詳細に説明する。図１は、この発明の一実施形態に係るバルコニー床周りにおける外壁の目地構造を示しており、(20)は、バルコニー床、(21)は、バルコニー床(20)の周縁から立ち上がった外壁である。外壁(21)は、上下の外壁材(22)(23)と、構造材としての下地フレーム(24)とを備えている。
【００２０】
上側の外壁材(22)としては、例えば方形に形成されたサイディング材等が用いられている。下側の外壁材(23)としては、例えば方形に形成された木質セメント板或いはその他の無機質材が用いられており、下側外壁材(23)の厚みは、上側外壁材(22)よりも薄くなっている。また、下地フレーム(24)は、溝型鋼からなる左右一対の縦フレーム材(25)(25)と、同じく溝型鋼からなる上下一対の横フレーム(26)(26)とを方形枠状に連結してなる。
【００２１】
そして、上下の外壁材(22)(23)を下地フレーム(24)に張り合わせることによって、外壁(21)が構成されている。ここで、上下の外壁材(22)(23)間には、横方向の目地隙間(27)が形成されている。この目地隙間(27)には、外側からシーリング材(86)が充填されるようになっており、これにより外壁(21)の横目地が構成されている。
【００２２】
この外壁(21)においては、上側外壁材(22)が下側外壁材(23)よりも床(20)側に張り出した状態となっている。また、上側外壁材(22)と下地フレーム(24)との間には、例えば０．５〜１ｍｍ程度の一定の厚みを有する金属製又は合成樹脂製の方形板材からなるスペーサ(30)が介在されており、これによって上側外壁材(22)の下端部とその裏面側の下地フレーム(24)との間に、捨て水切り材(40)の一部を差し入れるための間隙(32)が形成されている。
【００２３】
捨て水切り材(40)は、図２に示すように、例えば略Ｌ形に形成された鋼板製の硬質片(41)と、ゴムその他の軟質性の樹脂からなる軟質片(43)とを備えている。硬質片(41)は、上側外壁材(22)の裏面側において略垂直方向に沿って配置される垂直部(42)と、この垂直部(42)下端より外側に向かって略水平方向に沿って延出する水平部(45)とを備えている。軟質片(43)は、硬質片(41)の垂直部(42)裏面と水平部(45)下面とに接着されている。すなわち、捨て水切り材(40)は、硬質片(41)と軟質片(43)とが一体的に連結されてなっている。
【００２４】
そして、図３に示すように、捨て水切り材(40)は、その取付け状態において、硬質片(41)垂直部(42)の上端部を前記間隙(32)に差し込んで支持されている。なお、上側外壁材(22)の裏面側に下地胴縁が設けられている場合は、上側外壁材(22)の下端部とその裏面側の下地胴縁との間に垂直部(42)の上端部を差し込むことで、捨て水切り材(40)を支持するようにしても良い。
【００２５】
また、取付け状態において、硬質片(41)が上側外壁材(22)の裏面から下側外壁材(23)の上端面に跨り、さらに軟質片(43)が下側外壁材(23)の上端面から外表面に跨るようになっている。すなわち、捨て水切り材(40)は、外壁(21)の横目地部において、上側外壁材(22)の裏面から下側外壁材(23)の外面へ跨るようにして設置されており、これにより、上下の外壁材(22)(23)間の目地隙間(27)を塞いでいる。
【００２６】
なお、この捨て水切り材(40)の装着状態において、硬質片(41)は防火板としても機能するようになっており、このため別途防火板を設ける必要がなく、部品点数の削減及び組立て工程の簡素化を図ることができる。
【００２７】
この捨て水切り材(40)には、シーリング材(86)を受けるバックアップ材(85)が予め取り付けられている。バックアップ材(85)は、軟質性の樹脂からなっており、例えば発泡ポリエチレンその他の樹脂発泡体が好適に用いられる。バックアップ材(85)は、例えば略角柱状に形成されており、その断面形状が縦長の矩形状となっている。
【００２８】
バックアップ材(85)は、捨て水切り材(40)の硬質片(41)に対して、その水平部(45)と垂直部(42)とに跨って取り付けられている。バックアップ材(85)は、硬質片(41)の垂直部(42)下端部に接着されている。すなわち、バックアップ材(85)は、その下端部において捨て水切り材(40)の外表面に接着されており、その接着部よりも上方部が上方からの押圧によって収縮するようになっている。
【００２９】
ただし、バックアップ材(85)としては、必ずしも軟質性の樹脂を用いなくても良く、少なくとも上方からの押圧によって収縮するような伸縮性を備えたものであれば良いものとする。
【００３０】
ここで、上記の外壁(21)の施工について説明すると、まず、工場等において上側外壁材(22)と下地フレーム(24)とを張り合わせておくとともに、捨て水切り材(40)には、バックアップ材(85)を取り付けておき、これらを現場に持ち込んで設置する。
【００３１】
続いて、捨て水切り材(40)を、図４に示すように、その硬質片(41)の垂直部(42)を前記間隙(32)に下側から差し入れて取り付ける。そして、図５に示すように、バックアップ材(85)を上側外壁材(22)下端面に押し当てて収縮させながら、捨て水切り材(40)全体を上方へ押し上げた状態に保持しておく。この状態において、さらに捨て水切り材(40)の軟質片(43)をめくり上げた状態で、下地フレーム(24)に下側外壁材(23)を例えばビスによって固定するとともに、その外表面にＬ形の塩ビ鋼板(44)とバルコニー床(20)側から延びる防水シート(33)とを張り付ける。
【００３２】
このように下側外壁材等(23)(33)(44)を設置した後に、捨て水切り材(40)を、硬質片(41)垂直部(42)が前記間隙(32)に差し込まれた状態のまま下降させて、図６に示すように、下側外壁材(23)上に載置する。これにより、収縮していたバックアップ材(85)は、伸長して元の形状に復元するようになっている。最後に、捨て水切り材(40)の軟質片(43)を下側外壁材(23)の上端面と外表面とに沿うようにして折り曲げた状態において、下側外壁材(23)の上端部外表面に、軟質片(43)の外側から図７に示す別の第２の水切り材(50)を固定する。
【００３３】
この第２の水切り材(50)は、図７及び図８に示すように、レール(51)と、ブラケット(52)と、カバー(53)とから構成されている。レール(51)およびブラケット(52)は、それらが重ねられて下側外壁材(23)の外表面上端にビス(55)(55)…止めされるもので、カバー(53)は、ブラケット(52)に係合支持されてレール(51)を被覆するものである。
【００３４】
レール(51)は、長手方向に同一断面を有する長尺部材で、基板片(60)の上下端部に、略Ｌ形の係合片(61)(61)が突設されて、これにより基板片(60)の表面側に案内溝(62)が形成されている。また、基板片(60)には、複数のビス挿入穴(63)(63)…が長手方向に間隔をあけて形成され、さらに基板片(60)の裏面側にはその長手方向に沿って凹部(64)が形成されていて、この凹部(64)の長手方向ほぼ全長に亘って水密材(65)が装着されている。この水密材(65)は、例えば樹脂発泡体からなる伸縮性を有する略角柱状の部材で、レール(51)の下側外壁材(23)への固定前では、凹部(64)から後方へはみ出した状態となっている。
【００３５】
ブラケット(52)は、定寸の短尺部材で、レール押さえ片(70)の上下端部から一対の弾性片(71)(71)が前方に延出されている。レール押さえ片(70)の長手方向両端付近には、ビス穴(72)(72)が形成されている。また、弾性片(71)(71)の前端部は、く字形に屈曲されている。このブラケット(52)は、レール押さえ片(70)をレール(51)の案内溝(62)に嵌め込むことで、レール(51)によって保持されたまま脱落せず、水平方向に摺動可能となっている。従って、ブラケット(52)をスライドさせることで、隣り合うレール(51)(51)の突き合わせ部にブラケット(52)を簡単かつ確実に重ねることができる。
【００３６】
カバー(53)は、長手方向に同一断面を有する長尺部材で、化粧片(80)の上下端部から一対の掛止片(81)(81)が後方に延出されている。また、化粧片(80)から立ち上がった立ち上がり片(82)の上端部が、後方すなわち内向きに略水平に折り曲げられて突出片(83)が構成されている。
【００３７】
ここで、上記の第２の水切り材(50)の施工について説明すると、まず、レール(51)のビス挿入穴(63)に挿入したビス(55)を下側外壁材(23)にねじ込んで、レール(51)を下側外壁材(23)に取り付ける。
【００３８】
このとき、隣り合うレール(51)(51)の端部同士の突き合わせ部においては、レール(51)(51)の案内溝(62)(62)に跨ってブラケット(52)のレール押さえ片(70)を挿入して、ブラケット(52)を重ね合わせる。そして、互いに一致させたビス挿入穴(63)(63)及びビス穴(72)(72)に挿入したビス(55)(55)を下側外壁材(23)にねじ込んで、ブラケット(52)とレール(51)(51)を下側外壁材(23)に一緒に固定する。また、レール(51)(51)…を下側外壁材(23)に固定することによって、その水密材(65)が圧縮しながら、捨て水切り材(40)の軟質片(43)を介して防水シート(33)を押さえ付け、これによりレール(51)の基板片(60)と防水シート(33)との間に生じる隙間を確実に埋めて、ビス(55)(55)…周りからの浸水が防止される。
【００３９】
このようにレール(51)(51)…およびブラケット(52)(52)…を下側外壁材(23)に取り付けた後、各ブラケット(52)(52)…に対してカバー(53)(53)…を正面から押し込んで、その掛止片(81)(81)をブラケット(52)の弾性片(71)(71)に外側から係合させることで、カバー(53)(53)…をブラケット(52)(52)…に装着する。
【００４０】
図３に示すように、この水切り材(50)の取付け状態においては、その上端の内側への突出片(83)が、上下の外壁材(22)(23)間の目地隙間(27)内へ突入した状態となっている。そして、この突出片(83)の上面と上側外壁材(22)の下端面との間に、シーリング材(86)が充填されるようになっている。このとき、バックアップ材(85)は、予め捨て水切り材(40)に取り付けられているため安定した取付け状態となっており、所定のシーリング深さを安定して確保できるようになっている。このように、上下の外壁材(22)(23)間の横目地は、シーリング材(86)とその内側の捨て水切り材(40)とによって２重の止水処理が施されることになる。
【００４１】
なお、この発明は、上記実施形態に限定されるものではなく、この発明の範囲内で上記実施形態に多くの修正及び変更を加え得ることは勿論である。例えば、上記実施形態においては、バルコニー床周縁の外壁を例に挙げて説明したが、天井床周縁から立ち上がった外壁やその他の外壁に、この発明の目地構造を適用しても良い。
【図面の簡単な説明】
【００４２】
【図１】この発明の一実施形態に係る外壁の目地構造を示す斜視図である。
【図２】捨て水切り材を示す斜視図である。
【図３】外壁の目地構造を示す断面図である。
【図４】外壁の施工手順を示す断面図である。
【図５】同じくその断面図である。
【図６】同じくその断面図である。
【図７】第２の水切り材を示す断面図である。
【図８】同じくその施工手順を示す斜視図である。
【符号の説明】
【００４３】
(21)  外壁
(22)  上側の外壁材
(23)  下側の外壁材
(27)  目地隙間
(40)  水切り材(捨て水切り材)
(43)  軟質片
(50)  第２の水切り材
(83)  突出片
(85)  バックアップ材
(86)  シーリング材
【図１】
2005213797.tif 000003
【図２】
2005213797.tif 000004
【図３】
2005213797.tif 000005
【図４】
2005213797.tif 000006
【図５】
2005213797.tif 000007
【図６】
2005213797.tif 000008
【図７】
2005213797.tif 000009
【図８】
2005213797.tif 000010